(57)【要約】【課題】従来品は限定した箇所の問題改善品が多く、広範囲に渡る改善対策にはなっていなかった。そこで、当発明品は首から胸の広範囲の不快な汗対策を主とし、多種機能的かつオシャレとしても活用できるストール型吸汗対策品を提案する。【解決手段】上述課題の目的に有効的なサイズ及びデザイン及び素材を研究し、作製する。また、その課題だけではなく、加えて、より発展した有意義な目的である、日除けや、首の後ろの衿汚れや、保湿や、保温等に対処できる発展型も、様々展開していく。女性や男性や子供や老人という、あらゆる年代に効果的である。【選択図】図１
2017008468.tif 000002
【特許請求の範囲】
【請求項１】
首の後ろから、胸元に充てがう為の、形状を特徴とする吸汗ストール。
【請求項２】
首から胸の広範囲の吸汗を可能とする事を特徴とした、請求項１に記載のストール。
【請求項３】
ブラジャーのワイヤーの押さえ付けにより伴う痛みを、本発明品を挟み込む事により軽減出来る事を特徴とする、請求項１又は請求項２に記載のストール。
【請求項４】
前首を覆う別布を追加した形状の場合には、日除けの効果が可能になる事を特徴とする、請求項１から請求項３のいずれか１項に記載のストール。
【請求項５】
首の後ろ部の外着の汚れを軽減出来る事を特徴とする、請求項１から請求項５のいずれか１項に記載のストール。
【請求項６】
素材に効果が添加されている場合は、その効果も付加される事を特徴とした請求項１から請求項５のいずれか１項に記載のストール。
【請求項７】
後ろ首にあたる部分に本体に縫い付けによりポケットを配し、保冷剤やカイロを保持でき、本体ストールの効果をより促す事ができる事を特徴とした、請求項１から請求項５のいずれか１項に記載のストール。
【請求項８】
着物の伊達衿として活用出来る事を特徴とした、請求項１又は請求項２又は請求項３に記載のストール。
【請求項９】
（さらに特徴部分がある場合には、追加して記載する。）
【発明の詳細な説明】
【技術分野】
【０００１】  本発明品は、首から胸の不快感を軽減し、種々の用途に用いる事ができるストールに関する物です。
【背景技術】
【０００２】  従来のスカーフやマフラー等は、首元のオシャレや、日除けのみに限定され、胸周りの汗を除去する事はできなかった。【０００３】  タオルは首元の吸汗のみであり、巻くという着用方法も困難で位置も定まらず、落下の心配もあった。
【発明の概要】
【発明が解決しようとする課題】
【０００４】  従来の日除けや、吸汗商品は、使用部分が一部のみに限定された効果しかなかった。【０００５】  本発明は、首から胸までの、広範囲の吸汗や、不快感を軽減目的とするものである。
【課題を解決するための手段】
【０００６】  上記課題を解決する為に、本発明の吸汗ストールは、本体中央部を後ろ首に掛け、両先を胸側に下ろし、胸元に充てがうという着用形態とする。【０００７】  従って、当発明品は、それに適合する長さと、巻き収まりの良い幅で、吸汗性に優れた、生地や、編地や、タオル等の繊維素材にて作製された、多用途ストール。
【発明の効果】
【０００８】  本発明は、首から胸元の吸汗を目的とし、両先部をブラジャーとバストの間に挟み込む事により、ブラジャー内の汗を吸収し、不快な湿りや、ブラジャーのワイヤーの押さえ付けにより伴う痛みを軽減できる効果がある。
【図面の簡単な説明】
【０００９】
【図１】本発明の実施形態の吸汗ストールを示す全体正面図  （ａ）両先部を、刀型とした形状を表す図  （ｂ）両先部を、丸型として、体に沿う様に、片側に曲線を施した形状を表す図  （ｃ）体に沿う様に全体を湾曲させた形状の図
【図２】同実施形態の使用例を示す図  （ａ）両先部を直下装着した場合の図  （ｂ）両先部を交差装着した場合の図
【図３】本発明の実施形態における、前首に対応する別布を付け加えた図
【図４】本発明の実施形態における、前首に対応する別布を付け加えた図
【図５】本発明に、背中の汗に対応する部分を付け加えた図
【図６】本発明を、着物や浴衣等の伊達衿としての目的とした実施図例
【図７】本発明を、胸に充てがわず、首元のみの効果とオシャレを目的とした活用図例
【図８】本発明を、スカーフ及びネクタイとした場合の活用図例
【図９】本発明に、後ろ首部にポケットを施した実施図
【発明を実施するための形態】
【００１０】  図１の（ａ）や（ｂ）や（ｃ）は、本発明の代表的な実施の形態であるが、それ以外も想定され、その他の形状も本発明に含まれる。
【００１１】  図２の（ａ）は、両先部を直下装着した使用例であり、両胸のブラジャーのカップ内にストールの先の面を広く充てがう事ができ、ブラジャーカップ部の湿りを優先とし軽減できる。また、（ｂ）は両先部を交差装着した使用例であり、胸上部から胸の谷間の吸汗が可能となる。この他にも、充てがい方は多様であり、使用者の吸汗目的に様々に対応可能である。
【０００１２】  上述した吸汗効果に付加し、ブラジャー下部に当品を挟み込む事でクッションとなり、ブラジャー下部の締め付けや、特にワイヤーの押え付けによる、肌当りや伴う痛みを軽減できる効果もある。
【００１３】  またの付加効果として、本体素材に様々な効果を、添加、もしくは原糸に練り込んだ物を使用する事により、肌への効果が付加される。
素材効果の例  吸水・速乾・冷感・保湿・ＵＶ（紫外線防止）美容成分配合  等
【００１４】  室内や、就寝時に着用すると、保温効果があり、冷房による冷え防止や、乾燥防止になる。また、上述にあるように素材に効果が添加されている場合も、その効果は室内や就寝時にも有効である。
【００１５】  図３や図４は、基本形ストールに、前首を覆う別布を縫合させた実施例である。この様な形態は特に日除け効果に有効である。
【００１６】  また、図３や図４や図５は、図１の基本形ストールに、効果付加の為、部位を追加した実施例である。これらは、一部の実施例であり、その他どのような部位が追加されたとしても、本発明の発展形とする。
【００１７】  また、図３や図４や図５の様に、色々な部位が追加される事により面積が増加した分、上述の様々な効果も同様に拡大する。
【００１８】  図７は、着物や、浴衣の伊達衿としての活用例である。吸汗作用だけではなく、プリントや配色を施す事により、デザイン的な目的も付加され、襟元の汚れも軽減できる効果がある。
【００１９】  図８は、スカーフとして使用し、オシャレを目的とした着用例で、従来のスカーフに比べて形や位置も定め易く取り扱いが簡単である。
【００２０】  図９の形態は、後ろ首に充てがう事により、ワイシャツやブラウスを代表とした衿がついた外着の裏衿部の汚れも軽減できる。この効果は、女性用だけではなく、特に男性用としては有効であり、スカーフ及びネクタイの様なデザインも範囲内である。
【００２１】  図６は、後ろ首部に充てがう部分に、ポケットを施した実用例であり、このポケットに保冷剤や、カイロを入れる事ができ、より効果的に、保冷や、保温を促す事ができる。
【００２２】室内・室外問わず、外観的なイメージは、機能的にも関わらず、外着に馴染むデザインとし、オシャレ用途としても有効である。
【００２３】  外出先でもサッと抜き取れ、吸汗等で湿った本体を外せば、ブラジャー内、シャツ等、上着の衿等は湿っていない為快適である。
【００２４】  なお、本発明は、前述実施例に限定される物ではなく、発明の趣旨から逸脱しない範囲で、適宜変更して具体化する事もできる。
【符号の説明】
【００２５】１    吸汗ストール
２    前首部に効果を付加させる為に縫合された別布
３    背中部に効果を付加させる為に縫合された別布
４    保冷剤やカイロを保持する為に縫い付けられたポケット
【図１】
2017008468.tif 000003
【図２】
2017008468.tif 000004
【図３】
2017008468.tif 000005
【図４】
2017008468.tif 000006
【図５】
2017008468.tif 000007
【図６】
2017008468.tif 000008
【図７】
2017008468.tif 000009
【図８】
2017008468.tif 000010
【図９】
2017008468.tif 000011
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
吸汗性の素材で構成され、全体が帯状に構成されているとともに、首の後ろにあてがう中央部と、ブラジャーとバストとの間に装着する端部より構成され、上記端部の輪郭の少なくとも一部には、バスとの形状及びブラジャーの下端部の形状に沿う様な曲線部が設けられている事を特徴とする吸汗ストール
【請求項２】
端部の輪郭が曲線部のみで構成され、端部が丸形に構成されている事を特徴とする請求項１記載の吸汗ストール
【請求項３】
端部の輪郭の一部に直線部が設けられ、端部が刀形に構成されている事を特徴とする請求項１記載の吸汗ストール
【請求項４】
中央部の幅が端部の巾よりも狭くなる様に構成されている事を特徴とする請求項１記載の吸汗ストール
【請求項５】
全体が湾曲した帯状に構成されている事を特徴とする請求項１記載の吸汗ストール
【手続補正２】
【補正対象書類名】明細書
【補正対象項目名】全文
【補正方法】変更
【補正の内容】
【発明の詳細な説明】
【技術分野】
【０００１】  本発明品は、首から胸の不快感を軽減できる吸汗ストールに関するものである。
【背景技術】
【０００２】タオルを首にかけて汗をとることは一般的に行われているが首元の吸汗のみであり、巻くという着用方法も困難で位置も定まらず、落下の心配もあった。【０００３】  また、その他の吸汗目的のストールも、首周りの吸汗には対応していても、胸元の汗には対処できていない。【０００４】女性に不快感を与える汗の主な箇所は胸元である。具体的にはブラジャー内の湿りや、胸の谷間であり各下着メーカー等の調査においても必ず上位に上がる程である。
【発明が解決しようとする課題】
【０００５】本発明は上記の様な問題点を解決し、女性の胸元の汗を効率的に吸水し、下着を着用しても不快感を解決できる吸汗ストールを提供しようとするものである。
【課題を解決する為の手段】
【０００６】請求項１の発明では
吸汗性の素材で構成され、全体が帯状に構成されているとともに、首の後ろにあてがう中央部と、ブラジャーとバストの間に装着する端部より構成され、上記端部の輪郭の少なくとも一部には、バストの形状及びブラジャーの下端部の形状に沿う様な曲線部を設けた。
請求項２の発明では
端部の輪郭が曲線部のみで構成され、端部を丸型に構成した。
請求項３の発明では
端部の輪の一部に直線部が設けられ、端部を刀型に構成した。
請求項４の発明では
中央部の幅が端部の巾よりも狭くなるように構成した。
請求項５の発明では全体を湾曲した帯状に構成した。
【発明の効果】
【０００７】本発明によれば、両端部をブラジャーとバストの間に挟み込むことにより、ブラジャー内の汗を吸収し、ブラジャー内の湿りや谷間の汗を解消することができる。
【０００８】  また着用のしかたを変え、端部を少し引き伸ばし、ブラジャーのワイヤー部に挟み込む事により、ワイヤーの押え付けにより伴う痛みを軽減できる効果もある。
【図面の簡単な説明】
【０００９】
【図１】（ａ），（ｂ），（ｃ），本発明の実施形態の吸汗ストールを示す正面図
【図２】（ａ），（ｂ），（ｃ），（ｄ），本発明の吸汗ストールの使用例を示す正面図
【図３】（ａ），（ｂ），本発明の吸汗ストールの他の使用例を示す図
【図４】本発明の他の実施形態の吸汗ストールを示す斜視図
【図５】本発明の他の実施形態の吸汗ストールを示す斜視図
【図６】本発明の他の実施形態の吸汗ストールの正面図
【図７】本発明の他の実施形態の吸汗ストールの背面図
【図８】本発明吸汗ストールの他の使用例を示す正面図
【発明を実施するための形態】
【００１０】以下本発明の実施形態について説明する。
図１（ａ），（ｂ），（ｃ）はそれぞれ本発明の吸汗ストールの実施形態を示し図１（ａ）において、１は首の後ろにあてがう為の中央部であり、２と３はバストとブラジャーの間に挟み込むための端部である。
【００１１】図１（ａ）の端部と２と３の形状は刀形とし、輪郭に直線部２Ａ，３Ａと曲線部２Ｂ，３Ｂを有し、直線部２Ａ，３Ａを設けた事により両端部２，３を目的の吸汗箇所へ正確にあてがい易くなる。また、バストもブラジャーも全体的に丸みを持った形状なので曲線部２Ｂ，３Ｂ、が設けられていることにより、ブラジャーとバストの間に端部２および３を挟み込んだ場合端部２及び３がバストの形状にもブラジャーの形状にも沿った形になるためブラジャー内で余った部分がごわついたりする事もなく、すっきりとバストに装着出来る。
【００１２】図１（ｂ）は他の実施形態を示し、１１は首の後ろにあてがうための中央部であり、１２と１３は、バストとブラジャーの間に挟み込む為の端部であるが、この実施形態では首の後ろにあてがう為の中央部１１の巾を端部１２、１３の巾よりも緩やかに狭くなる様に構成した事により中央部１１を首の後ろにあてがい端部１２、１３を首から胸に下ろす際に肩の盛り上がりに沿いやすくなり、より体に馴染みやすくなる。
【００１３】また図１（ｂ）の形態では端部１２，１３の輪郭は曲腺で構成し、端部１２，１３を丸形とした形態例である。このように端部１２，１３を丸形にすると余分となる部分がなくなり、端部１２，１３がバストの形状にも、ブラジャー下端部の形状にもフィットさせやすく、ブラジャー内での収まりという点では最も優れた形である。
【００１４】図１（ｃ）も他の実施形態を示し、２１は首の後ろに当てがう為の中央部であり、２２と２３はバストとブラジャーの間に挟み込むための端部であるが、この実施形態ではストール全体を湾曲させるとともに中央部２１の幅を端部２２，２３の巾よりも大幅に狭くしている。また、端部２２，２３の形状刀型に構成している。この形態例では図１（ａ），（ｂ）のような本体を直線型にした形態例よりも装着時に、より体に馴染ませる事ができる。
【００１５】図２は本発明の吸汗ストールの使用例を示すもので、図２（ａ）は図１（ａ）のストールを使用し中央部１を首の後ろに当てがったのち胸の上部で交差させてブラジャーとバストの間に端部２及び３を装着した使用例であり、端部２、３がバストの内側を覆う形になり、首から胸上部及びバストの谷間の吸汗が効果的に行える。また、端部の曲線部２Ｂ及び３Ｂがバストとブラジャー１００の下端部に沿う形になり、ブラジャー１００内の収まりが良くなる。
【００１６】図２（ｂ）は図１（ａ）のストールを首の後ろからまっすぐに下ろしてブラジャー１００とバストの間に装着した使用例であり、曲線部２Ｂ，３Ｂがバストの丸みにフィットしブラジャー１００のカップ部の汗を効果的に吸収することができる。
【００１７】図２（ｃ）は図１（ｂ）のストールを使用し、中央部１１を首の後ろに当てがったのち胸の上部で交差させ、端部１２，１３をブラジャー１００とバストの間に装着した使用例であり、首から胸上部及びバストの谷間の吸汗が効果的に行える。
【００１８】図２（ｄ）は図１（ｂ）のストールを使用し首の後ろからまっすぐ下に下ろしてブラジャー１００とバストの間に装着した使用例であり丸形両端部を直下装着した使用例であり、端部１２，１３全体がバストの丸みにより適合しブラジャー１００のカップ部の汗を効果的に吸収する事ができる。
【００１９】図３は他の使用例を示すもので、ストールを少し下に引き伸し端部２，３がブラジャー１００の下部にはみ出すようにしてブラジャー１００とバストの間に装着した使用例であり、ブラジャー１００の下端部と胸の間に端部２及び３が挟み込まれる事によりストールの端部２，３がクッションの働きをすることになり、ブラジャー１００の下部の締め付けや、特にワイヤーの押さえ付けにより伴う痛みやかぶれを軽減出来る効果もある。図３（ａ）はストールの端部２，３をまっすぐ下に下ろして装着した例、図３（ｂ）は胸の上部で交差させて装着した例である。また図３では図１（ａ）のストールを使用した例であるが他の形状のストールを使用しても同様の効果がある。
【００２０】発明の吸汗ストールに使用する素材には吸水性に優れた素材を使用する事が望ましい。
【００２１】また、伸縮性に優れた素材が望ましい。伸縮性に優れている事により、使用者の体型や着用形態にも、幅広く適応させる事が容易になる。
また、紫外線防止加工素材や美容成分配合素材等を使用すればそれぞれの素材に応じた使用効果が得られる。
【００２２】室内や就職時に着用すると、保温効果があり、冷房による冷え防止や乾燥防止になる。また、上述にあるように素材に効果が添付されている場合も、その効果は室内や就寝時にも有効である。
【００２３】図４及び図５は図１（ａ）のストールに前首を覆う別布４および５をそれぞれ縫合させた実施例である。このような形態は特に日焼け防止に有効である
【００２４】図６は図１（ａ）のストールに背中の汗に対応する別布６を縫合させた実施例である。別布４，５，６の素材はストールと同一、あるいは別素材を使用しても良いが、別素材を使用する場合でも伸縮性、吸水性がある素材が望ましい。図５や図６のように前首覆い布を付けた場合等は特に日除けに効果的で、
また美容成分配合素材も、肌に直接当たる物である為、有効である。
【００２５】また、図４や図５や図６の例の様に、付加部分が追加される事により、ストール全体の面積が増加した分、上述の素材による吸汗作用をはじめとする様々な付加効果も同様拡大する。
【００２６】図７は後ろ首部に当てがう部分に、ポケット７を設けた実施例であり、このポケット７に保冷剤を入れる事ができ、より効果的に保冷を促す事ができる。
【００２７】図８は使用例として、着物や浴衣の伊達衿としての用途にもできる使用例である。
５０は本発明の吸汗ストールであり、図示はしていないが端部はブラジャーとバストの間に装着されていることは言うまでもない。この使用例ではストールの生地にプリントや配色を施す事により装飾的な目的も付加され襟元の汚れも軽減出来る効果もある。
【００２８】本発明は室内外問わず使用でき、機能的にも関わらず外着に馴染むデザインとし、オシャレ用途としても有効である。
【００２９】また、基本目的の吸汗を達成した後、外出先でもサッと抜き取れ、吸汗等で湿った本体を外せば、ブラジャー内、シャツ等、上着の衿などは湿っていない為、快適になり、汗や湿りの不快を簡単な手段で排除できるという優れた効果がある。
【００３０】なお、本発明は、前述実施例に限定される物ではなく、発明の趣旨から逸脱しない範囲で、適宜変更して具体化する事もできる。
【符号の説明】
【００３１】１      中央部
２      端部
３      中央部
１１    端部
１２    端部
１３    端部
２１    中央部
２２    端部
２３    端部
４      別布
５      別布
６      別布
７      ポケット
１００  ブラジャー
５０    ストール
【手続補正３】
【補正対象書類名】図面
【補正対象項目名】全図
【補正方法】変更
【補正の内容】
【図１】
2017008468.tif 000012
【図２】
2017008468.tif 000013
【図３】
2017008468.tif 000014
【図４】
2017008468.tif 000015
【図５】
2017008468.tif 000016
【図６】
2017008468.tif 000017
【図７】
2017008468.tif 000018
【図８】
2017008468.tif 000019